(57)【要約】【課題】データを他の装置に送信して記録させる場合において、そのデータを所望の装置の所望のフォルダに容易に記録させる。【解決手段】カムコーダの送信先検出部２５１は、グルーピングメタデータの項目「ウェブサイトURL」の内容を読み出し、送信部２５３は、収録ＩＤごとのグループに分類されたクリップの各データと、その収録ＩＤを送信する。また、素材利用装置の受信部２７１は、クリップの各データと収録ＩＤを受信し、記録制御部は、収録ＩＤに基づいて、クリップの各データを収録ＩＤに対応するフォルダに記録させる。本発明は、例えばカムコーダとカムコーダがネットワークを介して接続されるネットワークシステムに適用することができる。【選択図】図９
2007150785.tif 000002
【特許請求の範囲】
【請求項１】
記録媒体に記録されている、グループごとに分類されたデータを送信する送信装置と、前記データを受信する受信装置とを備える送受信システムにおいて、
前記送信装置は、
前記データのグループに対応して前記記録媒体に記録されている、前記データの送信先を読み出す読出手段と、
前記読出手段により読み出された送信先に、所定のグループに分類されたデータと、そのグループを表すグループ情報を送信する送信手段と
を備え、
前記受信装置は、
前記送信手段により送信されてくるデータとグループ情報を受信する受信手段と、
前記グループ情報に基づいて、前記データを前記グループに対応するフォルダに記録させる記録制御手段と
を備える送受信システム。
【請求項２】
記録媒体に記録されている、グループごとに分類されたデータを送信する送信装置において、
前記データのグループに対応して前記記録媒体に記録されている、前記データの送信先を読み出す読出手段と、
前記読出手段により読み出された送信先に、所定のグループに分類されたデータと、そのグループを表すグループ情報を送信する送信手段と
を備える送信装置。
【請求項３】
前記グループは、前記データの内容、または前記データを前記記録媒体に記録した装置ごとのグループである
を備える請求項２に記載の送信装置。
【請求項４】
記録媒体に記録されている、グループごとに分類されたデータを送信する送信装置の送信方法において、
前記データのグループに対応して前記記録媒体に記録されている、前記データの送信先を読み出し、
その読み出された送信先に、所定のグループに分類されたデータと、そのグループを表すグループ情報を送信する
ステップを含む送信方法。
【請求項５】
記録媒体に記録されている、グループごとに分類されたデータを送信する処理を、コンピュータに行わせるプログラムにおいて、
前記データのグループに対応して前記記録媒体に記録されている、前記データの送信先を読み出し、
その読み出された送信先に、所定のグループに分類されたデータと、そのグループを表すグループ情報を送信する
ステップを含むプログラム。
【請求項６】
グループごとに分類されたデータと、そのグループを表すグループ情報を受信する受信装置において、
前記データと前記グループ情報を受信する受信手段と、
前記グループ情報に基づいて、前記データを前記グループに対応するフォルダに記録させる記録制御手段と
を備える受信装置。
【請求項７】
グループごとに分類されたデータと、そのグループを表すグループ情報を受信する受信装置の受信方法において、
前記データと前記グループ情報を受信し、
前記グループ情報に基づいて、前記データを前記グループに対応するフォルダに記録させる
ステップを含む受信方法。
【請求項８】
グループごとに分類されたデータと、そのグループを表すグループ情報を受信する処理を、コンピュータに行わせるプログラムにおいて、
前記データと前記グループ情報を受信し、
前記グループ情報に基づいて、前記データを前記グループに対応するフォルダに記録させる
ステップを含むプログラム。
【発明の詳細な説明】
【技術分野】
【０００１】
本発明は、送受信システム、送信装置および送信方法、受信装置および受信方法、並びにプログラムに関し、特に、データを他の装置に送信して記録させる場合において、そのデータを所望の装置の所望のフォルダに容易に記録させることができるようにした送受信システム、送信装置および送信方法、受信装置および受信方法、並びにプログラムに関する。
【背景技術】
【０００２】
近年、撮影や録音により得られた画像データや音声データ等の素材データを記録媒体に記録するカムコーダ(登録商標)から、ネットワーク等を介して、その記録媒体に記録される素材データを取得し記録する記録装置がある。
【０００３】
例えば、画像データを取得してビデオテープに記録するカメラ一体型ビデオテープレコーダから、画像データを取得し、光ディスクにダビングするディスクレコーダがある（例えば、特許文献１参照）。
【０００４】
【特許文献１】特開２００４−１７１７１９号公報
【発明の開示】
【発明が解決しようとする課題】
【０００５】
しかしながら、上述したカムコーダにおいて、素材データを送信する場合、ユーザは、その素材データの送信先を指定する必要がある。また、上述した記録装置において、カムコーダから送信された素材データをディレクトリ(フォルダ)に分類して記録させる場合、ユーザは、記録装置に送信されてくる素材データに対して、記録先とするディレクトリを指定する必要があり、面倒である。
【０００６】
本発明は、このような状況に鑑みてなされたものであり、データを他の装置に送信して記録させる場合において、そのデータを所望の装置の所望のフォルダに容易に記録させることができるようにするものである。
【課題を解決するための手段】
【０００７】
本発明の第１の側面の送受信システムは、記録媒体に記録されている、グループごとに分類されたデータを送信する送信装置と、前記データを受信する受信装置とを備える送受信システムにおいて、前記送信装置は、前記データのグループに対応して前記記録媒体に記録されている、前記データの送信先を読み出す読出手段と、前記読出手段により読み出された送信先に、所定のグループに分類されたデータと、そのグループを表すグループ情報を送信する送信手段とを備え、前記受信装置は、前記送信手段により送信されてくるデータとグループ情報を受信する受信手段と、前記グループ情報に基づいて、前記データを前記グループに対応するフォルダに記録させる記録制御手段とを備える。
【０００８】
本発明の第２の側面の送信装置は、記録媒体に記録されている、グループごとに分類されたデータを送信する送信装置において、前記データのグループに対応して前記記録媒体に記録されている、前記データの送信先を読み出す読出手段と、前記読出手段により読み出された送信先に、所定のグループに分類されたデータと、そのグループを表すグループ情報を送信する送信手段とを備える。
【０００９】
前記グループは、前記データの内容、または前記データを前記記録媒体に記録した装置ごとのグループであるようにすることができる。
【００１０】
本発明の第２の側面の送信方法は、記録媒体に記録されている、グループごとに分類されたデータを送信する送信装置の送信方法において、前記データのグループに対応して前記記録媒体に記録されている、前記データの送信先を読み出し、その読み出された送信先に、所定のグループに分類されたデータと、そのグループを表すグループ情報を送信するステップを含む。
【００１１】
本発明の第２の側面のプログラムは、記録媒体に記録されている、グループごとに分類されたデータを送信する処理を、コンピュータに行わせるプログラムにおいて、前記データのグループに対応して前記記録媒体に記録されている、前記データの送信先を読み出し、
その読み出された送信先に、所定のグループに分類されたデータと、そのグループを表すグループ情報を送信するステップを含む。
【００１２】
本発明の第３の側面の受信装置は、グループごとに分類されたデータと、そのグループを表すグループ情報を受信する受信装置において、前記データと前記グループ情報を受信する受信手段と、前記グループ情報に基づいて、前記データを前記グループに対応するフォルダに記録させる記録制御手段とを備える。
【００１３】
本発明の第３の側面の受信方法は、グループごとに分類されたデータと、そのグループを表すグループ情報を受信する受信装置の受信方法において、前記データと前記グループ情報を受信し、前記グループ情報に基づいて、前記データを前記グループに対応するフォルダに記録させるステップを含む。
【００１４】
本発明の第３の側面のプログラムは、グループごとに分類されたデータと、そのグループを表すグループ情報を受信する処理を、コンピュータに行わせるプログラムにおいて、前記データと前記グループ情報を受信し、前記グループ情報に基づいて、前記データを前記グループに対応するフォルダに記録させるステップを含む。
【００１５】
本発明の第１の側面においては、送信装置において、データのグループに対応して記録媒体に記録されている、データの送信先が読み出され、その送信先に、所定のグループに分類されたデータと、そのグループを表すグループ情報が送信される。また、受信装置において、前記送信装置により送信されてくるデータとグループ情報が受信され、前記グループ情報に基づいて、前記データが前記グループに対応するフォルダに記録される。
【００１６】
本発明の第２の側面において、データのグループに対応して記録媒体に記録されている、データの送信先が読み出され、その送信先に、所定のグループに分類されたデータと、そのグループを表すグループ情報が送信される。
【００１７】
本発明の第３の側面において、グループごとに分類されたデータと、そのグループを表すグループ情報が受信され、前記グループ情報に基づいて、前記データが前記グループに対応するフォルダに記録される。
【発明の効果】
【００１８】
以上のように、本発明の第１の側面によれば、他の装置から送信されてくるデータを記録することができる。また、本発明の第１の側面によれば、データを他の装置に送信して記録させる場合において、そのデータを所望の装置の所望のフォルダに容易に記録させることができる。
【００１９】
本発明の第２の側面によれば、データを他の装置に送信することができる。また、本発明の第２の側面によれば、データを他の装置に送信して記録させる場合において、データを所望の装置の所望のフォルダに容易に記録させることができる。
【００２０】
本発明の第３の側面によれば、他の装置から送信されてくるデータを受信することができる。また、本発明の第３の側面によれば、他の装置から送信されてくるデータを所望のフォルダに容易に記録させることができる。
【発明を実施するための最良の形態】
【００２１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
本発明の第１の側面の送受信システムは、
記録媒体(例えば、図１のリムーバブルメディア３３)に記録されている、グループごとに分類されたデータを送信する送信装置(例えば、図１のカムコーダ２１)と、前記データを受信する受信装置(例えば、図１の素材利用装置２９)とを備える送受信システムにおいて、
前記送信装置は、
前記データのグループに対応して前記記録媒体に記録されている、前記データの送信先を読み出す読出手段(例えば、図９の送信先検出部２５１)と、
前記読出手段により読み出された送信先に、所定のグループに分類されたデータと、そのグループを表すグループ情報(例えば、収録ＩＤ)を送信する送信手段(例えば、図９の送信部２５３)と
を備え、
前記受信装置は、
前記送信手段により送信されてくるデータとグループ情報を受信する受信手段(例えば、図１０の受信部２７１)と、
前記グループ情報に基づいて、前記データを前記グループに対応するフォルダに記録させる記録制御手段（例えば、図１０の記録制御部２７３）と
を備える。
【００２３】
本発明の第２の側面の送信装置は、
記録媒体(例えば、図１のリムーバブルメディア３３)に記録されている、グループごとに分類されたデータを送信する送信装置(例えば、図１のカムコーダ２１)において、
前記データのグループに対応して前記記録媒体に記録されている、前記データの送信先を読み出す読出手段(例えば、図９の送信先検出部２５１)と、
前記読出手段により読み出された送信先に、所定のグループに分類されたデータと、そのグループを表すグループ情報(例えば、収録ＩＤ)を送信する送信手段(例えば、図９の送信部２５３)と
を備える。
【００２４】
本発明の第２の側面の送信方法は、
記録媒体(例えば、図１のリムーバブルメディア３３)に記録されている、グループごとに分類されたデータを送信する送信装置(例えば、図１のカムコーダ２１)の送信方法において、
前記データのグループに対応して前記記録媒体に記録されている、前記データの送信先を読み出し（例えば、図１１のステップＳ２２）、
その読み出された送信先に、所定のグループに分類されたデータと、そのグループを表すグループ情報(例えば、収録ＩＤ)を送信する（例えば、図１１のステップＳ２５とＳ２７）
ステップを含む。
【００２５】
本発明の第２の側面のプログラムは、
記録媒体(例えば、図１のリムーバブルメディア３３)に記録されている、グループごとに分類されたデータを送信する処理を、コンピュータに行わせるプログラムにおいて、
前記データのグループに対応して前記記録媒体に記録されている、前記データの送信先を読み出し（例えば、図１１のステップＳ２２）、
その読み出された送信先に、所定のグループに分類されたデータと、そのグループを表すグループ情報(例えば、収録ＩＤ)を送信する（例えば、図１１のステップＳ２５とＳ２７）
ステップを含む。
【００２６】
本発明の第３の側面の受信装置は、
グループごとに分類されたデータと、そのグループを表すグループ情報(例えば、収録ＩＤ)を受信する受信装置において、
前記データと前記グループ情報を受信する受信手段(例えば、図１０の受信部２７１)と、
前記グループ情報に基づいて、前記データを前記グループに対応するフォルダに記録させる記録制御手段（例えば、図１０の記録制御部２７３）と
を備える。
【００２７】
本発明の第３の側面の受信方法は、
グループごとに分類されたデータと、そのグループを表すグループ情報を受信する受信装置(例えば、図１の素材利用装置２９)の受信方法において、
前記データと前記グループ情報を受信し（例えば、図１２のステップＳ４１とＳ４４）、
前記グループ情報に基づいて、前記データを前記グループに対応するフォルダに記録させる（例えば、図１２のステップＳ４５）
ステップを含む。
【００２８】
本発明の第３の側面のプログラムは、
グループごとに分類されたデータと、そのグループを表すグループ情報(例えば、収録ＩＤ)を受信する処理を、コンピュータに行わせるプログラムにおいて、
前記データと前記グループ情報を受信し（例えば、図１２のステップＳ４１とＳ４４）、
前記グループ情報に基づいて、前記データを前記グループに対応するフォルダに記録させる（例えば、図１２のステップＳ４５）
ステップを含む。
【００２９】
以下、本発明を適用した具体的な実施の形態について、図面を参照しながら詳細に説明する。
【００３０】
図１は、本発明を適用したネットワークシステム１の構成例を表している。
【００３１】
図１のネットワークシステム１は、例えば、テレビジョン番組等の制作に用いられる番組制作支援システムである。テレビジョン番組の制作の工程は、基本的に、企画（構成）、収録、編集（制作）に分類される。企画（構成）は、テレビジョン番組の制作全体を統括する工程であり、制作するテレビジョン番組の企画および構想を行って、テレビジョン番組のシナリオ（筋書き）を作成する工程である。
【００３２】
収録は、例えば、制作指示やシナリオにしたがって、制作現場で実際に収録を行う工程であり、テレビジョン番組を構成する各場面の画像データや音声データ等の素材データを取得するとともに、撮影(音声の取得も含む)状況を収録する工程である。編集（制作）は、制作指示やシナリオ等に基づいて、収録により得られた素材データを編集したり、収録により得られた素材データ、または編集後の素材データ（編集結果）に、収録で得ていない他の情報（CG/SI（Computer Graphics/SuperImpose）、ナレーション、または資料映像や音楽等）を付加したりして、テレビジョン番組として完成されたデータ（素材データ）であるカンパケを作成する。
【００３３】
図１のネットワークシステム１は、このような各工程における作業を支援する番組制作支援システムである。ネットワークシステム１は、カムコーダ２１と２２、アクセスポイント２３と２４、サーバ２５と２６、ファイアウォール２７、素材サーバ２８、素材利用装置２９、カンパケサーバ３０、ネットワーク３１、およびイントラネット３２から構成される。
【００３４】
カムコーダ２１と２２は、テレビジョン番組であるニュース番組の収録や、スポーツ等の試合の模様、映画などの撮影（音声の取得も含む）に使用される装置である。カムコーダ２１と２２は、被写体を撮影して得られた素材データ等を、例えば磁気ディスク、DVD（Digital Versatile Disc）などの光ディスク、光磁気ディスク、メモリカード、着脱式ハードディスクドライブなどのリムーバブルメディア３３に記録する。
【００３５】
また、カムコーダ２１と２２は、ユーザの入力に基づいて、収録に関する情報等のように、例えば後段の編集処理時に有用となる情報等を生成し、カムコーダ２１と２２において得られた素材データにメタデータとして関連付ける。さらに、カムコーダ２１と２２は、自分自身に装着されたリムーバブルメディア３３から素材データを読み出して、無線を介してアクセスポイント２３または２４と接続し、アクセスポイント２３と２４と接続されるインターネットなどのネットワーク３１を介して、その素材データを他の装置（素材利用装置２９等）に送信する。
【００３６】
カムコーダ２１と２２には、アクセスポイント２３または２４とネットワーク３１を介して、サーバ２５と２６が接続される。サーバ２５と２６には、カムコーダ２１と２２により取得された素材データが、必要に応じて供給されて記録される。
【００３７】
イントラネット３２は、ファイアウォール２７を介してネットワーク３１と接続されており、ファイアウォール２７は、ネットワーク３１からイントラネット３２への不正なアクセスを禁止する。
【００３８】
イントラネット３２にはまた、素材サーバ２８、素材利用装置２９、およびカンパケサーバ３０が接続されている。
【００３９】
素材サーバ２８は、素材利用装置２９からイントラネット３２を介して供給される素材データを蓄積する。素材利用装置２９は、カムコーダ２１と２２から、アクセスポイント２３または２４、ネットワーク３１、ファイアウォール２７、およびイントラネット３２を介して送信されてくる（アップロードされる）素材データを記録する。また、素材利用装置２９は、記録している素材データを素材サーバ２８に供給する。
【００４０】
さらに、素材利用装置２９は、自分自身が記憶している素材データまたは素材サーバ２８に蓄積されている素材データを読み出し、カンパケを作成する。そして、素材利用装置２９は、そのカンパケをイントラネット３２を介してカンパケサーバ３０に供給する。カンパケサーバ３０は、素材利用装置２９から供給されるカンパケを蓄積する。
【００４１】
なお、以下では、カムコーダ２１と２２を区別する必要がない場合、それらをまとめてカムコーダ２１という。また、アクセスポイント２３と２４を区別する必要がない場合、それらをまとめてアクセスポイント２３という。
【００４２】
次に、図２を参照して、図１のネットワークシステム１において、テレビジョン番組を制作する作業者のワークフローを詳細に説明する。なお、図２では、作業者がニュース番組を作成するものとする。
【００４３】
図２に示すように、ステップＳ１において、企画の工程を行う企画作業者は、ニュースとなる出来事（事象）の情報を入手し、ステップＳ２に進む。ステップＳ２において、企画作業者は、ステップＳ１で入手した情報を基に、収録内容を検討(決定)する。
【００４４】
なお、収録内容は、出来事(トピックス)ごとに区別される。ここで、ステップＳ２で決定された収録内容は複数あるものとする。企画作業者は、収録内容に固有のＩＤである収録ＩＤを、テレビジョン番組を収録内容ごとに管理する図示せぬNRC(ニュースルームコンピュータ)から取得する。
【００４５】
ステップＳ２の処理後は、ステップＳ３に進み、企画作業者は、収録先（撮影場所）と収録日時（撮影日時）を検討する。ステップＳ３の処理後は、ステップＳ４に進み、企画作業者は、NRCが管理(記憶)するニュース番組のスケジュールに、ステップＳ２で検討された収録内容を放送する枠（時間枠）を入力することにより、ニュース番組内の時間枠を確保する。また、企画作業者は、収録内容を説明する説明内容を検討し、その説明内容の原稿を作成してNRCに記憶させる。さらに、企画作業者は、収録担当者(カメラマン)、収録するカムコーダ２１のＩＤ（以下、機器ＩＤという）、収録計画(収録内容内の時間割)などの収録体制を決定する。
【００４６】
ステップＳ４の処理後は、ステップＳ５に進み、企画作業者は、ステップＳ２で確保した時間枠内における、収録内容の放送順序を表す編集枠組を決定する。ステップＳ５の処理後、編集の工程を行う編集作業者は、ステップＳ４で確保された時間枠に基づいて、プロジェクト(編集作業単位)を素材利用装置２９に作成するとともに、ステップＳ４で作成された説明内容の原稿を素材利用装置２９に記憶させる。
【００４７】
ステップＳ６の処理後は、ステップＳ７に進み、編集作業者は、素材利用装置２９に収録ＩＤごとのディレクトリ(フォルダ)などを作成する。なお、このディレクトリには、収録ＩＤが対応付けられている。また、ステップＳ５の処理後、ステップＳ８に進み、収録の工程を行う収録作業者は、収録の準備を行う。具体的には、収録作業者は、リムーバブルメディア３３をカムコーダ２１に装着させ、NRCから取得された収録ＩＤを、その収録ＩＤに対応する収録内容を収録するカムコーダ２１に記録させる。また、収録作業者は、ステップＳ５で決定された編集枠組に基づいて、後述する収録ＩＤごとのグループのメタデータ(以下、グルーピングメタデータという)をカムコーダ２１に記録させる。
【００４８】
ステップＳ８の処理後は、ステップＳ９に進み、収録作業者は、例えばステップＳ３で検討された収録日時に収録先に行き、カムコーダ２１を用いてステップＳ２で検討された収録内容を収録する。そして、収録作業者は、カムコーダ２１から、アクセスポイント２３、ネットワーク３１などを介して、収録の結果得られる素材データと収録ＩＤを素材利用装置２９に送信する。これにより、素材利用装置２９には、その収録ＩＤに対応するディレクトリに素材データが記録される。
【００４９】
ステップＳ７とＳ９の処理後は、ステップＳ１０に進み、編集作業者は、素材利用装置２９のディレクトリに記憶されている素材データを編集し、ステップＳ１１に進む。ステップＳ１１において、編集作業者は、編集の結果得られる素材データをカンパケとして、素材利用装置２９からイントラネット３２を介してカンパケサーバ３０に保存（記憶）する。
【００５０】
図３は、図１のカムコーダ２１のハードウエア構成例を示すブロック図である。
【００５１】
図３のカムコーダ２１は、カメラブロック５１、レコーダブロック５２、通信ブロック５３、電源ブロック５４、マイクロフォン５５、およびスピーカ５６から構成される。
【００５２】
カメラブロック５１は、レンズ部７１、撮影部７２、ビデオプロセッサ７３、ビデオ符号化部７４、ビデオI/F（Interface）７５、ビデオプロセッサI/F７６、カメラコントローラ７７、カメラコントローラI/F７８、ビューファインダI/F７９、ビューファインダ８０、操作部８１、操作部I/F８２、マイコン８３、レコーダI/F８４、およびバス８５から構成され、被写体を撮影し、その結果得られる画像データ(ビデオデータ)をレコーダブロック５２に供給する。
【００５３】
撮影部７２は、例えばCCD（Charge Coupled Device）などから構成され、被写体からの光をレンズ部７１を介して取得することにより、被写体を撮影する。撮影部７２は、撮影の結果得られるアナログ信号である画像信号をビデオプロセッサ７３に供給する。ビデオプロセッサ７３は、撮影部７２からの画像信号に対して、A/D(Analog/Digital)変換、画像を調整するための処理などを行う。ビデオプロセッサ７３は、その結果得られるデジタルデータである画像データを、ビデオ符号化部７４またはビデオプロセッサI/F７６に供給する。
【００５４】
ビデオ符号化部７４は、例えば、MPEG(Moving Picture Experts Group)2方式で、ビデオプロセッサ７３からの画像データを圧縮符号化し、その結果得られる画像データをビデオI/F７５に供給する。
【００５５】
ビデオI/F７５、ビデオプロセッサI/F７６、カメラコントローラI/F７８、ビューファインダI/F７９、操作部I/F８２、マイコン８３、およびレコーダI/F８４は、バス８５を介して相互に接続されている。
【００５６】
ビデオI/F７５は、ビデオ符号化部７４からの画像データを、バス８５を介してレコーダI/F８４に供給する。ビデオプロセッサI/F７６は、ビデオプロセッサ７３からの画像データを、バス８５を介してビューファインダI/F７９に供給する。
【００５７】
カメラコントローラ７７は、カメラコントローラI/F７８から供給される制御信号に基づいて、撮影部７２を制御することにより、絞りやズームの制御を行う。カメラコントローラI/F７８は、マイコン８３からバス８５を介して供給される制御信号を、カメラコントローラ７７に供給する。
【００５８】
ビューファインダI/F７９は、ビデオプロセッサI/F７６またはレコーダI/F８４から供給される画像データ、あるいはレコーダI/F８４から供給される各種のメタデータを、ビューファインダ８０に供給する。ビューファインダ８０は、ビューファインダI/F７９からの画像データやメタデータに対応する画像を表示する。
【００５９】
操作部８１は、ユーザからのカメラブロック５１に対する操作（例えば、撮影の指令など）を受け付け、その操作を表すカメラ操作信号を操作部I/F８２に供給する。操作部I/F８２は、操作部８１から供給されるカメラ操作信号を、バス８５を介してマイコン８３に供給する。
【００６０】
マイコン８３は、例えば、CPU(Central Processing Unit)、ROM(Read Only Memory)、およびRAM（Random Access Memory）から構成される。マイコン８３のCPUは、ROMに記憶されるプログラムを実行することにより、操作部８１からのカメラ操作信号に基づいて、カメラブロック５１の各部を制御する。例えば、CPUは、バス８５とカメラコントローラI/F７８を介して、カメラコントローラ７７に制御信号を供給し、絞りやズームの制御を行う。なお、マイコン８３のRAMには、CPUが実行するプログラムやデータなどが適宜記憶される。
【００６１】
レコーダI/F８４は、レコーダブロック５２とデータをやり取りする。例えば、レコーダI/F８４は、レコーダブロック５２のカメラI/F１０９から供給される画像データまたはメタデータを、バス８５を介してビューファインダI/F７９に供給する。また、レコーダI/F８４は、ビデオI/F７５から供給される画像データをレコーダブロック５２に供給する。
【００６２】
レコーダブロック５２は、オーディオプロセッサ１００、オーディオ符号化部１０１、オーディオI/F１０２、オーディオプロセッサI/F１０３、スピーカI/F１０４、オーディオ復号部１０５、マイコン１０６、素材メモリI/F１０７、素材メモリ１０８、カメラI/F１０９、LCD(Liquid Crystal Display)I/F１１０、ビデオ復号部１１１、LCD１１２、メディアI/F１１３、通信ブロックI/F１１４、およびバス１１５から構成され、カメラブロック５１で取得される画像データ、マイクロフォン５５で取得されるアナログ信号である音声信号に対応する音声データなどの素材データを記録する。
【００６３】
オーディオプロセッサ１００は、マイクロフォン５５から供給される音声信号に対して、A/D変換、音声を調整するための処理などを行う。オーディオプロセッサ１００は、その結果得られるデジタルデータである音声データ(オーディオデータ)を、オーディオ符号化部１０１とオーディオプロセッサI/F１０３に供給する。オーディオ符号化部１０１は、オーディオプロセッサ１００からの音声データを、例えばリニアPCM（Pulse Code Modulation）形式に対応する方式で圧縮符号化し、その結果得られる音声データをオーディオI/F１０２に供給する。
【００６４】
オーディオI/F１０２、オーディオプロセッサI/F１０３、スピーカI/F１０４、マイコン１０６、素材メモリI/F１０７、カメラI/F１０９、LCDI/F１１０、メディアI/F１１３、および通信ブロックI/F１１４は、バス１１５を介して相互に接続されている。
【００６５】
オーディオI/F１０２は、オーディオ符号化部１０１からの音声データを、バス１１５を介して素材メモリ１０８またはメディアI/F１１３に供給する。オーディオプロセッサI/F１０３は、オーディオプロセッサ１００からの音声データをそのまま、バス１１５を介してスピーカI/F１０４に供給する。
【００６６】
スピーカI/F１０４は、オーディオプロセッサI/F１０３、素材メモリI/F１０７、またはメディアI/F１１３から供給される音声データを、オーディオ復号部１０５に供給する。オーディオ復号部１０５は、必要に応じて音声データを復号する。オーディオ復号部１０５は、その結果得られる音声データをスピーカ５６に供給し、その音声データに対応する音声をスピーカ５６から出力させる。
【００６７】
マイコン１０６は、例えば、CPU,ROM、およびRAMから構成される。マイコン１０６のCPUは、ROMに記憶されるプログラムを実行することにより、通信ブロックI/F１１４から供給される、ユーザによる操作部１３１の操作を表す通信操作信号に基づいて、レコーダブロック５２の各部を制御する。
【００６８】
例えば、マイコン１０６のCPUは、メディアI/F１１３などから供給される、収録に関する情報や各種の設定値などに基づいて、素材データのメタデータ（後述するノンリアルタイムメタデータやグルーピングメタデータ）を作成する。
【００６９】
また、マイコン１０６のCPUは、リムーバブルメディア３３に記録されているデータ全体に対するメタデータであるディスクメタデータなどを作成する。さらに、マイコン１０６のCPUは、カメラI/F１０９から供給される画像データに基づいて、その画像データに比べて解像度の低いプロキシ画像データを作成する。  
【００７０】
さらに、マイコン１０６のCPUは、素材メモリ１０８とリムーバブルメディア３３に対する記録または再生を制御する。
【００７１】
なお、マイコン１０６は、必要に応じて、素材メモリ１０８またはリムーバブルメディア３３に対する記録と再生を同時に行う。このとき、マイコン１０６では、いま素材メモリ１０８またはリムーバブルメディア３３に記録されているファイルのうちの記録済みのデータを再生することが可能である。
【００７２】
また、マイコン１０６のCPUは、各種の画面を表示させるための画像データを作成し、LCDI/F１１０に供給する。さらに、マイコン１０６のRAMには、CPUが実行するプログラムやデータなどが適宜記憶される。
【００７３】
素材メモリI/F１０７は、例えば素材メモリ１０８に対して高速にアクセスを行い、素材メモリ１０８に対するデータの記録または再生を行う。
【００７４】
例えば、素材メモリI/F１０７は、マイコン１０６の制御により、素材データを素材メモリ１０８に供給し、ファイルとして記憶させる。また、素材メモリI/F１０７は、マイコン１０６の制御により、プロキシ画像データを素材メモリ１０８に供給し、ファイルとして記憶させる。さらに、素材メモリI/F１０７は、マイコン１０６の制御により、メタデータ（素材データのメタデータ、ディスクメタデータなど）を素材メモリ１０８に供給し、ファイルとして記憶させる。
【００７５】
また、素材メモリI/F１０７は、素材メモリ１０８から素材データを再生し、その素材データのうちの音声データをスピーカI/F１０４に、画像データをLCDI/F１１０に、それぞれ供給する。
【００７６】
カメラI/F１０９は、カメラブロック５１のレコーダI/F８４と接続され、例えばレコーダI/F８４から画像データを受信する。カメラI/F１０９は、その画像データを、バス１１５を介してマイコン１０６に供給するとともに、画像データを素材メモリI/F１０７またはメディアI/F１１３に供給する。LCDI/F１１０は、素材メモリI/F１０７またはメディアI/F１１３から供給される画像データを、ビデオ復号部１１１に供給する。
【００７７】
ビデオ復号部１１１は、必要に応じて、LCDI/F１１０からの画像データを復号し、その結果得られる画像データをLCD１１２に供給する。LCD１１２は、ビデオ復号部１１１からの画像データに対応する画像を表示する。
【００７８】
メディアI/F１１３は、マイコン１０６の制御により、素材データをリムーバブルメディア３３に供給して、ファイルとして記憶させる。また、メディアI/F１１３は、マイコン１０６の制御により、プロキシ画像データをリムーバブルメディア３３に供給し、ファイルとして記憶させる。さらに、メディアI/F１１３は、マイコン１０６の制御により、メタデータ（素材データのメタデータ、ディスクメタデータなど）をリムーバブルメディア３３に供給し、ファイルとして記憶させる。
【００７９】
さらに、メディアI/F１１３は、カムコーダ２１に装着されたリムーバブルメディア３３に記録されている収録に関する情報や各種の設定値を読み出し、マイコン１０６に供給する。
【００８０】
なお、ここでは、収録に関する情報や各種の設定値などが、リムーバブルメディア３３からメディアI/F１１３を介してマイコン１０６に入力されるものとしたが、ユーザが操作部１３１を操作することにより、収録に関する情報や各種の設定値などを、マイコン１０６に入力するようにしてもよい。
【００８１】
また、メディアI/F１１３は、リムーバブルメディア３３に記録されている、自分自身または他のカムコーダ２１により取得された素材データを再生し、その素材データのうちの音声データをスピーカI/F１０４に、画像データをLCDI/F１１０にそれぞれ供給する。さらに、メディアI/F１１３は、リムーバブルメディア３３から素材データ、プロキシ画像データ、メタデータなどを再生し、通信ブロックI/F１１４に供給する。
【００８２】
通信ブロックI/F１１４は、通信ブロック５３のレコーダI/F１３５（後述する）と接続されており、通信ブロック５３とデータをやり取りする。また、通信ブロックI/F１１４は、レコーダI/F１３５から供給される通信操作信号を、バス１１５を介してマイコン１０６に供給する。さらに、通信ブロックI/F１１４は、素材メモリI/F１０７またはメディアI/F１１３から供給される素材データ、プロキシ画像データ、メタデータなどをレコーダI/F１３５に供給する。
【００８３】
通信ブロック５３は、操作部１３１、操作部I/F１３２、電源部I/F１３３、マイコン１３４、レコーダI/F１３５、ネットワークI/F１３６、およびバス１３７により構成され、図１のアクセスポイント２３、ネットワーク３１などを介して、他の装置とデータの通信を行うとともに、レコーダブロック５２の電源を制御する。
【００８４】
操作部１３１は、レコーダブロック５２と通信ブロック５３に対する操作（例えば、再生の指令など）を受け付け、その操作を表す通信操作信号を操作部I/F１３２に供給する。操作部I/F１３２、電源部I/F１３３、マイコン１３４、レコーダI/F１３５、およびネットワークI/F１３６は、バス１３７を介して相互に接続されている。
【００８５】
操作部I/F１３２は、操作部１３１からの通信操作信号をバス１３７を介してマイコン１３４またはレコーダI/F１３５に供給する。電源部I/F１３３は、マイコン１３４からバス１３７を介して供給される、レコーダブロック５２への電源の供給を制御するための電源制御信号を、電源ブロック５４の通信ブロックI/F１５２に供給する。
【００８６】
マイコン１３４は、例えば、CPU,ROM、およびRAMにより構成される。マイコン１３４のCPUは、ROMに記憶されているプログラムを実行することにより、操作部１３から供給される通信操作信号に基づいて、通信ブロック５３の各部を制御する。例えば、マイコン１３４は、レコーダI/F１３５を介して供給されるメタデータに基づいて、素材データの送信先を決定し、ネットワークI/F１３６に供給する。また、マイコン１３４のCPUは、ネットワークI/F１３６から供給される、アクセスポイント２３の検出結果を表す検出信号に基づいて、電源制御信号を生成し、電源部I/F１３３に供給する。
【００８７】
マイコン１３４のRAMには、CPUにより実行されるプログラムやデータが記憶される。例えば、RAMには、レコーダI/F１３５を介して供給され、ネットワークI/F１３６を介して送信される素材データ、プロキシ画像データ、またはメタデータが、一時的に記憶される。これにより、これらのデータのリムーバブルメディア３３からの再生速度が、送信速度を上回る場合においても、データを確実に送信することができる。
【００８８】
レコーダI/F１３５は、レコーダブロック５２の通信ブロックI/F１１４に接続されており、例えば、操作部１３２からの通信操作信号などを、通信ブロックI/F１１４に供給する。また、レコーダI/F１３５は、通信ブロックI/F１１４から供給される素材データ、プロキシ画像データ、メタデータなどを、バス１３７を介してマイコン１３４に供給する。
【００８９】
ネットワークI/F１３６は、FTP（File Transfer Protocol）に準拠して、図１のアクセスポイント２３、ネットワーク３１などを介して他の装置(例えば、素材利用装置２９など)と通信を行う。例えば、ネットワークI/F１３６は、マイコン１３４から供給される送信先である他の装置に、レコーダI/F１３５から供給される素材データ、プロキシ画像データ、メタデータなどを、メタデータ、プロキシ画像データ、素材データの順に、アクセスポイント２３、ネットワーク３１などを介して送信する。また、ネットワークI/F１３６は、アクセスポイント２３を検出し、その検出結果を表す検出信号をマイコン１３４に供給する。
【００９０】
電源ブロック５４は、電源部１５１と通信ブロックI/F１５２から構成され、カメラブロック５１、レコーダブロック５２、通信ブロック５３、マイクロフォン５５、およびスピーカ５６に電源(電力)を供給する。
【００９１】
電源部１５１は、通信ブロックI/F１５２から供給される電源制御信号に基づいて、レコーダブロック５２への電源の供給を制御する。通信ブロックI/F１５２は、通信ブロック５３の電源部I/F１３３から供給される電源制御信号を電源部１５１に供給する。
【００９２】
図４は、図１の素材利用装置２９のハードウエア構成例を示すブロック図である。
【００９３】
CPU２０１は、ROM２０２、または記録部２０８に記録されているプログラムに従って各種の処理を実行する。RAM２０３には、CPU２０１が実行するプログラムやデータなどが適宜記憶される。これらのCPU２０１、ROM２０２、およびRAM２０３は、バス２０４により相互に接続されている。
【００９４】
CPU２０１にはまた、バス２０４を介して入出力インターフェース２０５が接続されている。入出力インターフェース２０５には、キーボード、マウス、マイクロフォン、図示せぬリモートコントローラから送信されてくる指令を受信する受信部などよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。例えば、CPU２０１は、各種の画面を表示させるための画像データを作成し、出力部２０７に表示させる。
【００９５】
入出力インターフェース２０５に接続されている記録部２０８は、例えばハードディスクからなり、CPU２０１が実行するプログラムや各種のデータを記録する。通信部２０９は、イントラネット３２を介して外部の装置と通信する。また、通信部２０９は、イントラネット３２を介してプログラムを取得し、記録部２０８に記録してもよい。
【００９６】
入出力インターフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記録部２０８に転送され、記録される。
【００９７】
図５は、図３のLCD１１２に表示される、図１のリムーバブルメディア３３に記録されるファイルのディレクトリ構造を表す画面の例を示す図である。
【００９８】
図５において、シンボル２１５は、１つのディレクトリを表している。なお、符号は付していないが、シンボル（ディレクトリ）２１５と同一のその他のシンボルも、１つのディレクトリを表している。また、シンボル２１６は、１つのファイルを示している。なお、符号は付していないが、シンボル（ファイル）２１６と同一のその他のシンボルも、１つのファイルを示している。
【００９９】
なお、以下、特に断りの無い限り、ディレクトリとディレクトリのシンボルとは同一であるとみなして説明する。同様に、ファイルとファイルのシンボルとは同一であるとみなして説明する。また、各ディレクトリのそれぞれ、および、各ファイルのそれぞれの識別を容易なものとするために、以下、ファイルまたはディレクトリの後方に括弧（  ）書きでその名称を記載する。
【０１００】
図５の例では、リムーバブルメディア３３には、GROUPディレクトリ２１５とクリップルートディレクトリ（CLPR）とが設けられている。
【０１０１】
GROUPディレクトリ２１５には、リムーバブルメディア３３に記録されている全てのクリップ（クリップの詳細については後述する）の収録ＩＤごとのグループのグルーピングメタデータ（後述する図６や図７）のファイルであるグルーピングメタデータファイル２１６（G0001M01.txt乃至G0003M01.txt）が設けられる。
【０１０２】
具体的には、例えば、図５は、リムーバブルメディア３３に３つの収録ＩＤに対応するクリップのデータが記録されている場合の例を示しており、３つの収録ＩＤごとのグループのグルーピングメタデータのそれぞれは、第１のグルーピングメタデータファイル（G0001M01.txt）、第２のグルーピングメタデータファイル（G0002M01.txt）、および第３のグルーピングメタデータファイル（G0003M01.txt）といった３つのファイルに分けられて記録されている。
【０１０３】
また、クリップルートディレクトリ(CLPR)には、リムーバブルメディア３３に記録されているクリップのデータが、クリップ毎に異なるディレクトリに分けて管理されている。
【０１０４】
なお、クリップとは、カムコーダ２１の撮影処理の回数の単位である。またそれ以外にも、クリップは、その撮影処理の撮影開始から撮影終了までの時間を示す単位を示したり、その撮影処理により得られた各種のデータの長さを示す単位を示したり、その撮影処理により得られた各種のデータのデータ量を示す単位を示す。さらに、クリップは、その各種のデータの集合体そのものも示す場合もある。
【０１０５】
ここでは、クリップとは、例えば、１回の撮影処理（撮影開始から撮影終了までの撮影処理）により得られた画像データおよびその画像データに対応する音声データ、並びにメタデータ等の集合体を指す。
【０１０６】
具体的には、例えば、図５は、リムーバブルメディア３３に３つのクリップのデータが記録されている場合の例を示しており、３つのクリップのデータのそれぞれは、第１のクリップディレクトリ（C0001）、第２のクリップディレクトリ（C0002）、および第３のクリップディレクトリ（C0003）といった３つのディレクトリのそれぞれに分けられて管理されている。
【０１０７】
即ち、例えば、リムーバブルメディア３３に記録された最初のクリップの各データは、第１のクリップディレクトリ（C0001）以下のファイルとして管理されている。
【０１０８】
具体的には、例えば、図５に示すように、この第１のクリップディレクトリ（C0001）には、このクリップを管理するファイルであるマスタファイル（C0001C01.SMI）、このクリップの画像データを含むファイルである画像ファイル（C0001V01.MXF）、このクリップの各チャンネルの音声データのそれぞれを含む８つのファイルである音声ファイル（C0001A01.MXF乃至C0001A08.MXF）、このクリップのプロキシ画像データを含むファイルであるプロキシ画像データファイル（C0001S01.MXF）、このクリップを取得した機器の種類(例えば、カムコーダ)や機器ＩＤ、クリップの撮影（取得）時におけるカメラ設定値、撮影日時などのリアルタイム性を要求されないメタデータ（以下、ノンリアルタイムメタデータという）を含むファイルであるノンリアルタイムメタデータファイル（C0001M01.XML）、このクリップのリアルタイム性を要求されるメタデータ（以下、リアルタイムメタデータという）を含むファイルであるリアルタイムメタデータファイル（C0001R01.BIM）が設けられている。
【０１０９】
このように、図５の例では、再生時にリアルタイム性を要求されるデータである、画像データ、プロキシ画像データ、およびリアルタイムメタデータは、それぞれ１つのファイルとして管理され、読み出し時間が増加しないようになされている。
【０１１０】
また、上述したように、音声データも、再生時にリアルタイム性を要求されるが、7.1チャンネル等のような音声の多チャンネル化に対応するために、８チャンネル用意され、それぞれ異なるファイルとして管理されている。即ち、ここでは、音声データは８つのファイルとして管理されるように説明したが、これに限らず、音声データに対応するファイルは、７つ以下であってもよいし、９つ以上であってもよい。
【０１１１】
同様に、画像データ、プロキシ画像データ、およびリアルタイムメタデータも、場合によって、それぞれ、２つ以上のファイルとして管理されるようにしてもよい。
【０１１２】
また、図５の例では、ノンリアルタイムメタデータファイル（C0001M01.XML）は、汎用性を持たせるためにXML形式で記述されているが、リアルタイムメタデータファイル（C0001R01.BIM）は、再生処理の処理時間や処理に必要な負荷を軽減させるために、XML形式のファイルをコンパイルしたBIM（BInary format for MPEG-7 data）形式のファイルとされている。
【０１１３】
上述したような第１のクリップディレクトリ（C0001）のファイルの構成例は、全てのクリップディレクトリ、即ち、図５の例では、第２のクリップディレクトリ（C0002）および第３のクリップディレクトリ（C0003）においても、同様のファイルの構成例を適用することができる。従って、それらの説明については省略する。
【０１１４】
次に、図６と図７を参照して、グルーピングメタデータについて説明する。
【０１１５】
図６は、グルーピングメタデータの内容の項目の例を示している。
【０１１６】
図６の例では、グルーピングメタデータの内容の項目は、「グループタイトル」、「収録ＩＤ」、「分類」、「オリジナル」、「グループ作成日時」、「送信先」、「撮影日時」、「撮影場所」、「撮影者」、「撮影内容」、および「撮影素材（ファイル）」である。
【０１１７】
項目「グループタイトル」の内容は、グループの収録内容などを表すタイトルであり、項目「収録ＩＤ」の内容は、図２のステップＳ２でNRCより取得された収録ＩＤである。項目「分類」の内容は、グループに分類されたクリップの種類である。項目「オリジナル」の内容は、グループに分類されたクリップが、グループに分類されたクリップのデータが収録されたままのオリジナルのデータであるか、収録後に加工されたデータであるかを表す情報である。項目「グループ作成日時」の内容は、グルーピングメタデータが作成された日時である。
【０１１８】
項目「送信先」は、項目「名前」、項目「Ｅメールアドレス」、および項目「ウェブサイトURL（Uniform Resource Locator）」から構成される。項目「名前」の内容は、グループに分類されたクリップの送信先の名前である。項目「Ｅメールアドレス」の内容は、その送信先のＥメールアドレスである。項目「ウェブサイトURL」の内容は、その送信先のウェブサイトのURLである。
【０１１９】
なお、項目「Ｅメールアドレス」の内容として、複数のＥメールアドレスが記述されてもよい。また、項目「ウェブサイトURL」の内容として、複数のウェブサイトのURLが記述されてもよい。
【０１２０】
項目「撮影日時」は、項目「予定」と項目「実行」から構成される。その項目「予定」の内容は、図２のステップＳ３で検討された収録日時の情報であり、項目「実行」の内容は、実際の収録日時の情報である。項目「撮影場所」は、項目「予定」と項目「実行」から構成される。その項目「予定」の内容は、ステップＳ３で検討された収録先の情報であり、項目「実行」の内容は、実際の収録先の情報である。この実際の収録先は、例えばカムコーダ２１に設けられた図示せぬGPS（Global Positioning System）により収録時に取得される、カムコーダ２１の現在の位置を表す位置情報である。
【０１２１】
項目「撮影者」は、項目「予定」と項目「実行」から構成される。その項目「予定」の内容は、ステップＳ４で決定された収録担当者の名前である。項目「実行」の内容は、実際の収録担当者の名前である。項目「撮影内容」の内容は、項目「指示」と項目「実際（メモ）」から構成される。項目「指示」の内容は、収録計画などの収録内容に関する情報である。項目「実際（メモ）」の内容は、実際の収録内容に関する情報である。
【０１２２】
項目「撮影素材」は、項目「タイトル」、項目「UMID（Unique Material IDentifier）」、項目「メモ」、および項目「送信履歴」から構成される。その項目「タイトル」の内容は、グループに分類されたクリップのクリップディレクトリ（C0001乃至C0003）の名前(タイトル)であり、項目「UMID」の内容は、クリップのUMID(詳細は後述する)である。項目「メモ」の内容は、ユーザにより入力された任意の情報であり、項目「送信履歴」の内容は、グループに分類された各クリップの送信の有無を表す情報である。なお、送信先が複数ある場合、送信の有無を表す情報として、送信済みの送信先のＥメールアドレスやウェブサイトURLが記述されるようにしてもよい。
【０１２３】
また、UMIDとは、各クリップをグローバルユニークに識別するためのクリップ固有の識別子であって、SMPTE（Society of Motion Picture and Television Engineers）により定められる識別子を指す。このUMIDは、例えば画像ファイルやノンリアルタイムメタデータに含まれる。
【０１２４】
図７は、テキスト形式で記述されたグルーピングメタデータの例を示している。なお、図７では、項目の内容はすべて「XXXX」となっている。
【０１２５】
図７のグルーピングメタデータでは、項目に続けて、その項目の内容が記述されており、項目と項目の内容は、「，（カンマ）」で区切られている。
【０１２６】
具体的には、図７の例では、項目「グループタイトル」を表す「title」に続けて、その項目「グループタイトル」の内容である「XXXX」が記述されている。そして、その後に項目「分類」を表す「category」、項目「分類」の内容である「XXXX」、項目「オリジナル」を表す「original」、項目「オリジナル」の内容である「XXXXX」が順に記述される。
【０１２７】
その後も同様に、項目「グループ作成日時」を表す「date created」、項目「グループ作成日時」の内容である「XXXX」、項目「送信先」の項目「名前」を表す「send to」、その項目「名前」の内容である「XXXX」、項目「送信先」の項目「Ｅメールアドレス」を表す「e-mail address」、その項目「Ｅメールアドレス」の内容を表す「XXXX」、項目「送信先」の項目「ウェブサイトURL」を表す「site URL」、その項目「ウェブサイトURL」の内容を表す「XXXX」が順に記述される。
【０１２８】
また、その後には、項目「撮影日時」の項目「予定」を表す「date directed」、その項目「予定」の内容である「XXXX」、項目「撮影日時」の項目「実行」を表す「date carried out」、その項目「実行」の内容である「XXXX」、項目「撮影場所」の項目「予定」を表す「place directed」、その項目「予定」の内容である「XXXX」、項目「撮影場所」の項目「実行」を表す「place carried out」、その項目「実行」の内容である「XXXX」が順に記述される。
【０１２９】
さらに、その後に、項目「撮影者」の項目「予定」を表す「person directed」、その項目「予定」の内容である「XXXX」、項目「撮影者」の項目「実行」を表す「person carried out」、その項目「実行」の内容である「XXXX」、項目「撮影内容」の項目「指示」を表す「description directed」、その項目「指示」の内容である「XXXX」、項目「撮影内容」の項目「実際(メモ)」を表す「description occurred」、その項目「実際(メモ)」の内容である「XXXX」が順に記述される。
【０１３０】
また、その後に、項目「撮影素材（ファイル）」の項目「タイトル」を表す「file title」、その項目「タイトル」の内容のうちの、グループに分類されたクリップの第１のファイルのタイトルである「XXXX」、項目「撮影素材（ファイル）」の項目「UMID」を表す「file ID」、その項目「UMID」の内容のうちの第１のファイルのUMIDである「XXXX」、項目「撮影素材（ファイル）」の項目「メモ」を表す「memo」、その項目「メモ」の内容である「XXXX」が順に記述される。
【０１３１】
そして、その後に、第１のファイルと同様に、第２と第３のファイルの項目「タイトル」、項目「UMID」、および項目「メモ」と、それらの内容が記述される。
【０１３２】
図８は、図４の素材利用装置２９の出力部２０７(図４)に表示される、記録部２０８に記録されるファイルのディレクトリ構造を表す画面の例を示している。
【０１３３】
なお、図８に示すディレクトリは、図２のステップＳ７において編集作業者が作成の作業を行うことにより作成される。
【０１３４】
図８に示すように、記録部２０８には、番組ディレクトリ２３１が設けられ、この番組ディレクトリ２３１の下位には、テレビジョン番組を構成するクリップのファイルが設けられる。図８の例では、番組ディレクトリ２３１では、20XX年8月15日12時のニュース番組を構成するクリップのファイルが下位のディレクトリに設けられる。
【０１３５】
番組ディレクトリ２３１には、ニュース番組内の枠に対応するニュースＡディレクトリ２３２が設けられ、ニュースＡディレクトリ２３２には、ニュースＡを構成するクリップが、収録内容ごとのグループのディレクトリに分けて管理されている。
【０１３６】
図８の例では、ニュースＡディレクトリ２３２に、２つのグループのクリップが記録されており、ニュースＡディレクトリ２３２には、第１のグループのディレクトリであるクリップグループディレクトリ２３３と第２のグループのディレクトリであるクリップグループディレクトリ２３４が設けられている。
【０１３７】
なお、クリップグループディレクトリ２３３と２３４の名前には、例えば、対応する第１と第２のグループのグルーピングメタデータの項目「収録ＩＤ」（図６）の内容(図８の例では、収録ＩＤ１００１と収録ＩＤ１００２)と、項目「グループタイトル」の内容（図８の例では、括弧内のグループタイトルＡとＢ）とが用いられる。
【０１３８】
クリップグループディレクトリ２３３と２３４の下位には、対応する第１と第２のグループに分類されたクリップのディレクトリが設けられる。図８の例では、クリップグループディレクトリ２３４の下位に、第２のグループに分類されたクリップのクリップディレクトリ２３５と２３６が設けられている。
【０１３９】
クリップディレクトリ２３５と２３６は、リムーバブルメディア３３に記録される図５のクリップディレクトリ(C0001とC0002)のクリップが素材利用装置２９に送信されて記録されたものである。
【０１４０】
なお、以下では、クリップグループディレクトリ２３３と２３４を区別する必要がない場合、それらをまとめてクリップグループディレクトリ２３４という。また、クリップディレクトリ２３５と２３６を区別する必要がない場合、それらをまとめてクリップディレクトリ２３５という。
【０１４１】
図９は、図３のカムコーダ２１の機能的構成例を示すブロック図である。
【０１４２】
図９のカムコーダ２１は、送信先検出部２５１、読出部２５２、および送信部２５３から構成される。なお、送信先検出部２５１と送信部２５３は、例えば図３のマイコン１３４に対応し、読出部２５２は、例えばレコーダブロック５２に対応する。
【０１４３】
送信先検出部２５１は、読出部２５２から供給されるグルーピングメタデータファイル２１６の、項目「送信先」の項目「ウェブサイトURL」に基づいて、送信先のURLを検出（抽出）する。また、送信先検出部２５１は、グルーピングメタデータファイル２１６から、項目「収録ＩＤ」の内容である収録ＩＤを抽出する。そして、送信先検出部２５１は、URLと収録ＩＤを送信部２５３に供給する。
【０１４４】
読出部２５２は、リムーバブルメディア３３から、送信対象のクリップディレクトリ（C0001乃至C0003）とグルーピングメタデータファイル２１６を読み出し、グルーピングメタデータファイル２１６を送信先検出部２５１に供給するとともに、クリップディレクトリを送信部２５３に供給する。送信部２５３は、送信先検出部２５１からのURLに基づいて、そのURLに対応する素材利用装置２９に、送信先検出部２５１からの収録ＩＤと、読出部２５２からのクリップディレクトリを送信する。
【０１４５】
図１０は、図４の素材利用装置２９の機能的構成例を示すブロック図である。
【０１４６】
図１０の素材使用装置２９は、受信部２７１、記録先判定部２７２、および記録制御部２７３から構成される。なお、受信部２７１は、例えば図４の通信部２０９に対応し、記録先判定部２７２と記録制御部２７３は、例えばCPU２０１に対応する。
【０１４７】
受信部２７１は、カムコーダ２１の送信部２５３から送信されてくる収録ＩＤとクリップディレクトリを受信する。受信部２７１は、収録ＩＤを記録先判定部２７２に供給するとともに、クリップディレクトリを記録制御部２７３に供給する。
【０１４８】
記録先判定部２７２は、受信部２７１からの収録ＩＤに基づいて、記録先であるクリップグループディレクトリ２３４（図８）を決定する。そして、記録先判定部２７２は、記録先に決定されたクリップグループディレクトリ２３４を表す情報を、記録制御部２７３に供給する。
【０１４９】
記録制御部２７３は、受信部２７１からのクリップディレクトリを、記録先判定部２７２からの情報が表すクリップグループディレクトリ２３４に記録する。
【０１５０】
次に、図１１を参照して、カムコーダ２１がクリップを送信する送信処理について説明する。この送信処理は、例えば、ユーザが操作部１３１を操作することにより、送信対象を指定したとき、開始される。
【０１５１】
ステップＳ２１において、図９の読出部２５２は、リムーバブルメディア３３から、ユーザにより指定された送信対象であるクリップのグルーピングメタデータファイル２１６を読み出し、送信先検出部２５１に供給して、ステップＳ２２に進む。ステップＳ２２において、送信先検出部２５１は、グルーピングメタデータファイル２１６のグルーピングメタデータの項目「ウェブサイトURL」の内容であるURLを抽出し、そのURLを送信先として送信部２５３に供給する。
【０１５２】
ステップＳ２２の処理後は、ステップＳ２３に進み、送信先検出部２５１は、グルーピングメタデータの項目「収録ＩＤ」の内容である収録ＩＤを抽出し、送信部２５３に供給して、ステップＳ２４に進む。ステップＳ２４において、読出部２５２は、リムーバブルメディア３３から送信対象であるクリップのクリップディレクトリ（C0001乃至C0003）を読み出し、送信部２５３に供給して、ステップＳ２５に進む。
【０１５３】
ステップＳ２５において、送信部２５３は、送信先検出部２５１から供給されるURLと収録ＩＤに基づいて、そのURLに対応する素材利用装置２９に、収録ＩＤを送信する。
【０１５４】
ステップＳ２５の処理後は、ステップＳ２６に進み、送信部２５３は、素材使用装置２９から送信対象であるクリップの送信が要求されたかどうかを判定し、送信が要求されていないと判定された場合、送信が要求されるまで待機する。
【０１５５】
一方、ステップＳ２６において、送信が要求されたと判定された場合、ステップＳ２７に進み、送信部２５３は、送信先検出部２５１からのURLに対応する素材利用装置２９に、読出部２５２から供給されるクリップディレクトリ、即ち送信対象のクリップの各データを送信し、ステップＳ２８に進む。
【０１５６】
ステップＳ２８において、送信部２５３は、送信が終了したかどうか、即ち送信対象であるクリップディレクトリのすべてが送信されたかどうかを判定し、送信が終了していないと判定された場合、ステップＳ２７に戻り、上述した処理を繰り返す。一方、ステップＳ２８において、送信が終了したと判定された場合、処理は終了する。
【０１５７】
なお、項目「ウェブサイトURL」の内容として、複数のウェブサイトのURLが記述されている場合、各URLごとにステップＳ２５乃至Ｓ２８が行われる。
【０１５８】
次に、図１２を参照して、素材利用装置２９がクリップを受信する受信処理を説明する。
【０１５９】
ステップＳ４１において、図１０の受信部２７１は、カムコーダ２１の送信部２５３から送信されてくる収録ＩＤを受信したかどうかを判定し、収録ＩＤを受信していないと判定された場合、収録ＩＤを受信するまで待機する。
【０１６０】
一方、ステップＳ４１において、収録ＩＤを受信したと判定された場合、受信部２７１は、収録ＩＤを記録先判定部２７２に供給し、ステップＳ４２に進む。ステップＳ４２において、記録先判定部２７２は、受信部２７１から供給される収録ＩＤに基づいて、その収録ＩＤが対応付けられているクリップディレクトリ２３４を、送信対象の記録先に決定する。そして、記録先判定部２７２は、記録先として決定されたクリップグループディレクトリ２３４を表す情報を、記録制御部２７３に供給する。
【０１６１】
ステップＳ４２の処理後は、ステップＳ４３に進み、受信部２７１は、カムコーダ２１の送信部２５３に送信対象の送信を要求し、ステップＳ４４に進む。ステップＳ４４において、受信部２７１は、図１１のステップＳ２７で送信部２５３から送信されてくるクリップディレクトリ（C0001乃至C0003）を受信し、記録制御部２７３に供給して、ステップＳ４５に進む。
【０１６２】
ステップＳ４５において、記録制御部２７３は、受信部２７１から供給されるクリップディレクトリを、記録先判定部２７２から供給される情報が表すクリップグループディレクトリ２３４に記録させ、ステップＳ４６に進む。ステップＳ４６において、受信部２７１は、送信部２５３から送信されてくるクリップディレクトリすべての受信が終了したかどうかを判定し、受信が終了していないと判定された場合、ステップＳ４４に戻り、上述した処理を繰り返す。
【０１６３】
一方、ステップＳ４５において、受信が終了したと判定された場合、ステップＳ４１に戻り、上述した処理が繰り返される。
【０１６４】
次に、図１３乃至図１５を参照して、カムコーダ２１と素材利用装置２９間における通信について説明する。
【０１６５】
図１３は、カムコーダ２１の素材利用装置２９との通信を行う機能の構成例を示すブロック図である。即ち、図１３は、図９の送信部２５３の機能の全部または一部の構成を示している。
【０１６６】
図１３のカムコーダ２１は、検出部６０１、送信判定部６０２、受信判定部６０３、および電源制御部６０４から構成される。なお、検出部６０１、送信判定部６０２、受信判定部６０３、および電源制御部６０４は、例えば、図３のマイコン１３４に対応する。
【０１６７】
検出部６０１は、アクセスポイント２３の検出を行い、その検出結果を送信判定部６０２に供給する。送信判定部６０２は、検出部６０１からの検出結果に応じて、送信すべきデータ（例えば、収録ＩＤ、クリップの各データなど）を、素材利用装置２９に送信する。送信判定部６０２は、送信すべきデータがある旨を電源制御部６０４に通知し、送信の終了または送信すべきデータがない旨を受信判定部６０３に通知する。
【０１６８】
受信判定部６０３は、送信判定部６０２からの通知に応じて、素材利用装置２９から送信されてくるデータ（例えば、送信要求など）を受信する。受信判定部６０３は、素材利用装置２９から送信されてくるデータがある旨、および受信の終了または素材利用装置２９から送信されてくるデータがない旨を、電源制御部６０４に通知する。
【０１６９】
電源制御部６０４は、検出部６０１からの検出結果、あるいは送信判定部６０２または受信判定部６０３からの通知に応じて、レコーダブロック５２への電源の供給を制御するための電源制御信号を生成し、電源ブロック５４に供給する。
【０１７０】
次に、図１４を参照して、カムコーダ２１がレコーダブロック５２への電源の供給を制御する電源制御処理について説明する。この電源制御処理は、例えば、カムコーダ２１の電源がオンにされたとき、即ち電源部１５１に電源が供給されたとき、開始される。
【０１７１】
ステップＳ６０１において、検出部６０１は、図１のアクセスポイント２３を検出し、その検出結果を送信判定部６０２に供給して、ステップＳ６０２に進む。ステップＳ６０２において、検出部６０１は、アクセスポイント２３を検出することができたかどうかを判定し、その判定の結果を送信判定部６０２に供給する。ステップＳ６０１において、アクセスポイント２３を検出することができなかったと判定された場合、検出部６０１は、アクセスポイント２３を検出することができるまで待機する。
【０１７２】
一方、ステップＳ６０２において、アクセスポイント２３を検出することができたと判定された場合、ステップＳ６０３に進み、送信判定部６０２は、アクセスポイント２３を介するネットワーク３１への接続を開始し、ステップＳ６０４に進む。
【０１７３】
ステップＳ６０４において、送信判定部６０２は、素材利用装置２９に通信の開始を要求し、ステップＳ６０５に進む。
【０１７４】
ステップＳ６０５において、送信判定部６０２は、送信すべきデータがあるかどうかを判定し、送信すべきデータがあると判定した場合、ステップＳ６０６に進む。
【０１７５】
ステップＳ６０６において、電源制御部６０４は、レコーダブロック５２の電源をオンにするように電源制御信号を生成して電源ブロック５４に供給することにより、レコーダブロック５２の電源をオンにし、ステップＳ６０７に進む。ステップＳ６０７において、送信判定部６０２は、送信すべきデータが有る旨を素材利用装置２９に通知し、ステップＳ６０８に進む。
【０１７６】
ステップＳ６０８において、送信判定部６０２は、送信すべきデータを素材利用装置２９に送信し、ステップＳ６０９に進む。ステップＳ６０９において、送信判定部６０２は、送信すべきデータすべての送信が終了したかどうかを判定し、送信すべきデータすべての送信が終了していないと判定した場合、ステップＳ６０８に戻り、上述した処理を繰り返す。
【０１７７】
ステップＳ６０９において、送信すべきデータすべての送信が終了したと判定された場合、ステップＳ６１０に進み、受信判定部６０３は、受信するデータ、即ち素材利用装置２９から送信されてくるデータがあるかどうかを判定する。ステップＳ６１０において、受信するデータがないと判定された場合、ステップＳ６１１に進み、電源制御部６０４は、レコーダブロック５２の電源をオフにするように電源制御信号を生成して電源ブロック５４に供給することにより、レコーダブロック５２の電源をオフにし、処理を終了する。
【０１７８】
一方、ステップＳ６０５において、送信すべきデータがないと判定された場合、ステップＳ６１２に進み、送信判定部６０２は、送信すべきデータが無い旨を素材利用装置２９に通知し、ステップＳ６１３に進む。
【０１７９】
ステップＳ６１３において、受信判定部６０３は、受信するデータがあるかどうか、即ち素材利用装置２９から送信されてくるデータがあるかどうかを判定し、受信するデータがあると判定された場合、ステップＳ６１４に進む。
【０１８０】
ステップＳ６１４において、電源制御部６０４は、レコーダブロック５２の電源をオンにし、ステップＳ６１５に進む。ステップＳ６１５において、受信判定部６０３は、素材利用装置２９から送信されてくるデータを受信し、ステップＳ６１６に進む。
【０１８１】
ステップＳ６１６において、受信判定部６０３は、素材利用装置２９から送信されてくるすべてのデータの受信が終了したかどうかを判定し、すべてのデータの受信が終了していないと判定された場合、ステップＳ６１５に戻り、上述した処理を繰り返す。
【０１８２】
一方、ステップＳ６１６において、素材利用装置２９から送信されてくるデータの受信が終了したと判定された場合、ステップＳ６１１に進み、上述したように、電源制御部６０４は、レコーダブロック５２の電源をオフにし、処理を終了する。
【０１８３】
また、ステップＳ６１０において、受信するデータがあると判定された場合、ステップＳ６１５に進み、上述した処理を行う。
【０１８４】
さらに、ステップＳ６１３において、受信するデータがないと判定された場合、ステップＳ６１４乃至Ｓ６１６をスキップして、ステップＳ６１１に進み、上述した処理を行う。
【０１８５】
以上のように、カムコーダ２１では、アクセスポイント２３が検出された場合、データを送信または受信している間、レコーダブロック５２の電源がオンにされる。
【０１８６】
また、カムコーダ２１では、アクセスポイント２３が検出されない場合、即ちインターネット３１を介して通信を行うことが不可能である場合、送受信対象となるクリップなどのデータを再生または記録するレコーダブロック５２の電源をオフするので、カムコーダ２１の消費電力を削減することができる。
【０１８７】
また、アクセスポイントを検出することができた場合、カムコーダ２１は、ネットワーク３１への接続を自動的に開始するので、ユーザは、ネットワーク３１への接続の開始を指令する必要がなく、ユーザの手間を省くことができる。
【０１８８】
なお、上述した説明では、レコーダブロック５２の電源、即ちレコーダブロック５２を構成するすべての部へ供給する電源をオンにしたが、レコーダブロック５２のうち記録または再生に用いられる部へ供給する電源だけを、オンにするようにしてもよい。この場合、送信すべきデータがあるとき、再生に用いられる部へ供給する電源がオンにされ、受信するデータがあるとき、記録に用いられる部へ供給する電源がオンにされる。
【０１８９】
次に、図１５を参照して、素材利用装置２９がカムコーダ２１と通信を行う通信処理について説明する。
【０１９０】
ステップＳ６５１において、受信部２７１が、図１４のステップＳ６０４で送信判定部６０２に通信の開始が要求されたかどうかを判定し、通信の開始が要求されていないと判定した場合、通信の開始が要求されるまで待機する。
【０１９１】
一方、ステップＳ６５１において、通信の開始が要求されたと判定された場合、ステップＳ６５２に進み、受信部２７１は、カムコーダ２１との通信を開始して、ステップＳ６５３に進む。
【０１９２】
ステップＳ６５３において、受信部２７１は、受信するデータがあるかどうか、即ち図１４のステップＳ６０７で送信判定部６０２により送信すべきデータが有る旨が通知されたかどうかを判定する。ステップＳ６５３において、受信するデータがあると判定された場合、ステップＳ６５４に進み、受信部２７１は、送信判定部６０２から送信されてくるデータを受信する。
【０１９３】
ステップＳ６５４の処理後は、ステップＳ６５５に進み、受信部２７１は、送信判定部６０２から送信されてくるすべてのデータの受信が終了したかどうかを判定し、受信が終了していないと判定した場合、ステップＳ６５４に戻り、上述した処理を繰り返す。
【０１９４】
一方、ステップＳ６５５において、受信が終了したと判定された場合、ステップＳ６５６に進み、受信部２７１は、カムコーダ２１に送信すべきデータがあるかどうかを判定し、送信すべきデータがないと判定した場合、ステップＳ６５７に進む。
【０１９５】
ステップＳ６５７において、受信部２７１は、送信すべきデータが無い旨をカムコーダ２１に通知し、処理を終了する。
【０１９６】
また、ステップＳ６５３において、受信するデータがないと判定された場合、ステップＳ６５８において、ステップＳ６５６と同様に、受信部２７１は、カムコーダ２１に送信すべきデータがあるかどうかを判定し、送信すべきデータがあると判定した場合、ステップＳ６５９に進む。
【０１９７】
ステップＳ６５９において、受信部２７１は、送信すべきデータが有る旨をカムコーダ２１に通知する。このように、送信すべきデータが有る旨がカムコーダ２１に通知された場合、図１４のステップＳ６１０またはＳ６１３では、受信するデータがあると判定される。ステップＳ６５９の処理後は、ステップＳ６６０に進み、受信部２７１は、送信すべきデータをカムコーダ２１に送信し、ステップＳ６６１に進む。ステップＳ６６１において、受信部２７１は、送信すべきデータのすべて送信が終了したかどうかを判定し、送信が終了していないと判定した場合、ステップＳ６６０に戻り、上述した処理を繰り返す。
【０１９８】
一方、ステップＳ６６１において送信が終了したと判定された場合、処理は終了する。また、ステップＳ６５８において送信すべきデータがないと判定された場合、ステップＳ６６２に進み、受信部２７１は、ステップＳ６５７と同様に、送信すべきデータが無い旨を通知する。以上のように、ステップＳ６５７またはステップＳ６６２で送信すべきデータが無い旨が通知された場合、図１４のステップＳ６１０またはＳ６１３では、受信するデータがないと判定される。
【０１９９】
また、ステップＳ６５６において、送信すべきデータがあると判定された場合、ステップＳ６５９に進み、上述した処理が行われる。
【０２００】
なお、上述した図１３乃至図１５の説明では、検出部６０１がアクセスポイント２３を検出する場合、送信判定部６０２が、ネットワーク３１への接続を自動で開始するようにしたが、ネットワーク３１への接続を手動で開始するようにしてもよい。即ち、カムコーダ３１は、アクセスポイント２３を検出した場合、図３のLCD１１２などにより、アクセスポイントの検出が有る旨をユーザに通知し、その通知を受けたユーザがネットワーク３１への接続の開始を指令するとき、ネットワーク３１への接続を開始するようにしてもよい。
【０２０１】
また、ユーザが、ネットワーク３１への接続の開始を自動または手動のいずれで行うかを選択することができるようにしてもよい。
【０２０２】
なお、本発明の送信装置は、カムコーダではなく、パーソナルコンピュータなどの撮影機能を有しない装置にも適用することができる。例えば、ユーザは、カムコーダ２１で取得されたクリップの各データをリムーバブルメディア３３に記録させ、そのリムーバブルメディア３３をパーソナルコンピュータに装着させることにより、カムコーダ２１で取得されたクリップの各データを素材利用装置２９に送信することができる。
【０２０３】
また、上述した説明では、クリップが収録ＩＤごとのグループに分類されたが、機器ＩＤごとのグループに分類されるようにしてもよい。
【０２０４】
さらに、グルーピングメタデータの内容の項目「送信先」（図６）には、項目「ウェブサイトURL」ではなく、FTPサイトのURLが記述される項目「FTPサイトURL」が設けられるようにしてもよい。また、上述した説明では、カムコーダ２１が、項目「ウェブサイトURL」の内容であるURLに基づいて、そのURLに対応する素材利用装置２９にクリップの各データを送信したが、項目「Ｅメールアドレス」の内容であるＥメールアドレスに基づいて、そのＥメールアドレスに対応する素材利用装置２９にクリップの各データを送信するようにしてもよい。
【０２０５】
以上のように、カムコーダ２１では、送信先検出部２５１が、グルーピングメタデータの項目「ウェブサイトURL」の内容を読み出し、送信部２５３が、収録ＩＤごとのグループに分類されたクリップの各データと、その収録ＩＤを送信し、素材利用装置２９では、受信部２７１がクリップの各データと収録ＩＤを受信し、記録制御部２７３が、収録ＩＤに基づいて、クリップの各データを収録ＩＤに対応するフォルダに記録させるようにしたので、データを他の装置に送信して記録させる場合において、そのデータを所望の装置の所望のフォルダに容易に記録させることができる。
【０２０６】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２０７】
また、本明細書において、システムとは、複数の装置により構成される装置全体を表すものである。
【０２０８】
なお、本発明の実施の形態は、上述した実施の形態に限定されるものではなく、本発明の要旨を逸脱しない範囲において種々の変更が可能である。
【図面の簡単な説明】
【０２０９】
【図１】本発明を適用したネットワークシステムの構成例を示す図である。
【図２】テレビジョン番組を制作する作業者のワークフローを詳細に説明する図である。
【図３】図１のカムコーダのハードウエア構成例を示すブロック図である。
【図４】図１の素材利用装置のハードウエア構成例を示すブロック図である。
【図５】リムーバブルメディアに記録されるファイルのディレクトリ構造を表す画面の例を示す図である。
【図６】グルーピングメタデータの項目の内容の例を示す図である。
【図７】グルーピングメタデータの例を示す図である。
【図８】記録部に記録されるファイルのディレクトリ構造を表す画面の例を示す図である。
【図９】カムコーダの機能的構成例を示すブロック図である。
【図１０】素材利用装置の機能的構成例を示すブロック図である。
【図１１】送信処理を説明するフローチャートである。
【図１２】受信処理を説明するフローチャートである。
【図１３】素材利用装置との通信を行う機能の構成例を示すブロック図である。
【図１４】電源制御処理を説明するフローチャートである。
【図１５】通信処理を説明するフローチャートである。
【符号の説明】
【０２１０】
１  ネットワークシステム，  ２１，２２  カムコーダ，  ２３，２４  アクセスポイント，  ２８  素材サーバ，  ２９  素材利用装置，  ３１  ネットワーク，  ３２  イントラネット，  ３３  リムーバブルメディア，  ５１  カメラブロック，  ５２  レコーダブロック，  ５３  通信ブロック，  ５４  電源ブロック，  ５５  マイクロフォン，  ５６  スピーカ，  ７４  ビデオ符号化部，  １０１  オーディオ符号化部，  １０５  オーディオ復号部，  １０６  マイコン，  １１１  ビデオ復号部，  ２３１  番組ディレクトリ，  ２３２  ニュースＡディレクトリ，  ２３３，  ２３４  クリップグループディレクトリ，  ２３５，２３６  クリップディレクトリ，  ２５１  送信先検出部，  ２５２  読出部，  ２５３  送信部，  ２７１  受信部，  ２７２  記録先判定部，  ２７３  記録制御部
【図１】
2007150785.tif 000003
【図２】
2007150785.tif 000004
【図３】
2007150785.tif 000005
【図４】
2007150785.tif 000006
【図５】
2007150785.tif 000007
【図６】
2007150785.tif 000008
【図７】
2007150785.tif 000009
【図８】
2007150785.tif 000010
【図９】
2007150785.tif 000011
【図１０】
2007150785.tif 000012
【図１１】
2007150785.tif 000013
【図１２】
2007150785.tif 000014
【図１３】
2007150785.tif 000015
【図１４】
2007150785.tif 000016
【図１５】
2007150785.tif 000017